(57)【特許請求の範囲】
【請求項１】
パターヘッドの上面部または下段部面に、ストロークの長手方向に連続してコインの直径の幅で平行に、コインを滑らす平らな窪み部を設け、その平らな窪み部を、平面視で長方形状、またはそのストローク方向の前後部を角の隅切り有り、あるいは半円形状としたことを特徴とするゴルフパター。
【請求項２】
パターヘッドの上面部または下段面部に取り付けるパッティング練習用の収納ケースで、横幅をコインの直径の幅、長さをコイン１．５〜３個分相当とし、高さはコイン厚みに余裕を持たせ、底面はコインが平滑にすべる面を持ち、一部にコインの出入口を設け、コインをスライドさせることを特徴とする収納ケース。
【発明の詳細な説明】
【技術分野】
【０００１】
本発明は、パッティングにおいて、コインが落ちないようスムーズにストロークすることが容易となるゴルフパターに関する。
【背景技術】
【０００２】
ゴルフのパッティングにおいて、スムーズにストロークできることが上級者の証しといえる。そのタッチは柔らかくソフトで丁寧であるといえる。そこで、パターにコインを載せて落ちないようにストロークする練習方法が提唱されている。ところが、コインが落ちるたびに腰をかがめるのも面倒である。また、毎回セットするのも根気が続かない。特許電子図書館で「パターヘッド」、「コイン」で検索した結果、０件であった。「パターヘッド」、「凹部」、「平面」で検索した結果、１７件であった。（特許文献１）では、四角の平面をしたパターヘッドに、半円状の窪みを設け、それが半円状のパターであると思ってストロークするものである。本願発明は、パッティングストロークの長手方向にコインの幅で平行に、コインを滑らす平らな面の溝を設けるもので明らかに異なるといえる。
【先行技術文献】
【特許文献】
【０００３】
【特許文献１】特開２０１０−２８４１８２
【発明の概要】
【発明が解決しようとする課題】
【０００４】
パターにコインを載せて落ちないようにストロークする練習方法は、効果的だが根気を必要とする。パターにコインを載せる個所は、ヘッドが広いかまぼこ型パターではその上面に、２段式となっているピンタイプ、マレットタイプのパターではリブ後方の下方の面上である。室内練習ではすぐコインが落ち、毎回腰をかがめて落ちたコインを拾うのも面倒だ。その時に、落ちなくてもたまたまなのか、ラッキーだったのか、それとも上手だったのかさえ分からない。余分な動作で、本当に芯で打てていたのかさえ確認する余裕がなくなっている。コインを載せて再度のアドレスにも集中が続かず適当になってしまう。もちろん、文句を言わずに練習を繰り返せばいつか落ちなくなるのでそれでいいのだが、大の大人には身が入らず、長続きしないのもこの練習方法が苦痛であるからといえる。コインが落ちないように練習するのも、１円から５００円のうちのどのコインが練習に適切なのか、初級者はどのコインから始めたらいいのかさえもわからない。途中で挫折することは容易に想像できる。上達した証の最終コインもわからない。せめて、パターヘッドからコインが落ちなければ、拾わなくて済む。練習にも熱が入るというもの。そこで、パターヘッドの上部か下部か広い方の面上に、コインが入る窪み、凹部を設けその中で滑らすことができれば落ちないので課題が解決できる。また、すでに所有のゴルフパターに取り付けることを可能としたコインをスライドさせるケースがあれば、費用的にも負担が軽減される。
【課題を解決するための手段】
【０００５】
このような課題を解決するために、本発明のゴルフパターは、パターヘッドの上部面または下段部面に、ストロークの長手方向にコインの幅で平行に、コインを滑らす平らな窪み部を設けたことを特徴とする。コインの幅とは、コインの直径より滑りの余裕がある幅をいう。
【０００６】
また、本発明のゴルフパターは、前記平らな窪み部を、長方形状、またはそのストローク方向の前後部を角の隅切り有り、あるいは半円形状としたことを特徴とする。
【０００７】
また、本発明のゴルフパターは、前記平らな窪み部の側壁に、クッション材を施したことを特徴とする。
【０００８】
また、本発明のゴルフパターは、前記平らな窪み部の上に、コインの逸脱防止帯または逸脱防止キャップを設けたことを特徴とする。
【０００９】
また、本発明のゴルフパターは、前記コインの逸脱防止帯または逸脱防止キャップを、固定式、あるいは着脱式としたことを特徴とする。
【００１０】
また、本発明のコインをスライドさせる収納ケースは、横幅をコインの幅、長さをコイン１．５〜３個分相当とし、高さはコイン厚みに余裕を持たせ、底面はコインが平滑にすべる面を持ち、一部にコインの出入り口を設け、ゴルフパターに接着、または着脱自在とすることを特徴とする。
【発明の効果】
【００１１】
初心者は毎回腰をかがめて拾わなくてよく、再度のアドレスもコインを載せてのやり直しの面倒さ、煩わしさが減る。さらに、逸脱防止帯、または逸脱防止キャップがあればさらに安心。落ちないとなれば立った同じアドレスで何回でも練習できるので、ストロークの修正も早くでき、飽きやすい反復には最適。いいストロークを会得したのも同然、練習にも熱が入る。いいストロークで芯に当たった時のいい音の響きが聞き分けできる余裕も生まれ上達が早い。安定したストロークが身につくことはゴルファー共通の願い。上級者のレベル維持、更なるスキルアップも期待できる。パッティングが安定すればショットにいい影響を及ぼし、全体のスコアアップとなり、ゴルフラウンドが楽しいものとなる。当然プロはパット・イズ・マネーである。
【図面の簡単な説明】
【００１２】
【図１】上下で２段となっているマレットタイプのパターヘッドの下段部面に、プールのような長方形の平らな窪み部を、コインの直径の１．５倍の長さで設けたパターの平面図
【図２】図１の側面からのa-a断面図
【図３】図１の背面からの正面図
【図４】かまぼこ型のパターヘッドの上部面に、長方形の前後部を半円形状とし、コインの直径の２倍の長さとする平らな窪み部を設けたパターの平面図
【図５】図４の側面からのa-a断面図
【図６】図４の背面からの正面図
【図７】コインの逸脱防止帯の概観
【図８】コインの逸脱防止キャッップの概観
【図９】すでに所有のパターに着脱自在とするコインをスライドさせる収納ケース
【発明を実施するための形態】
【００１３】
コインが落ちるということは、コインの半径を越え出た時にパターヘッドの支えがなければ自重で落下するということである。すなわち、平面で滑らすとするならば、長手方向にコインの直径の１．５倍の長さ以上の平面が必要ということである。これは、ストーリーとなる一つの目安である。そこまで厳密に考えなくてもコインの直径よりある程度大きければその感触は得られる。パターヘッドの長さは、コインが後方に滑ったことが分かる程度の長さ、もしくは落ちたことが分かる程度の長さの溝があれば十分である。次に、なるべく負担を減らしたいので、コインが落ちない工夫をする。長方形状とすると側壁にあたってコインが飛び出す可能性がある。そこで、衝突となる前後の側壁は、衝撃を緩和となる半円形状が望ましいと思われる。または溝を深くする対策が考えられる。さらに、クッション材を側壁沿いに施せばかなりの効果が期待できる。材料はゴム、シリコン、ウレタンなどの薄い厚みが望ましい。それでも、良く落とす初心者向きにはさらに工夫が必要である。すなわち、シートベルトのように飛び出さないような上空の逸脱防止帯、さらには全覆の逸脱防止キャップなら絶対大丈夫である。その上面はパターヘッド上に突出しない方がゴルフ規則上は無難であるため、コインが滑る溝は逸脱防止部材の厚さ分深くなる。ただし、着脱式としてコースで外せば突出したものでも良いといえる。もちろん、逸脱防止帯、逸脱防止キャップではコインを出し入れする方法を考えておく必要がある。逸脱防止帯では、帯の横からで簡単であるが、逸脱防止キャップではキャップ全体を外すか、キャップの後方か側面にコイン幅の切欠きを入れるか、溝の側壁にスロープを設け、パターを逆さにしてコイン幅の出入り口から滑らすかの方法を選択する。逸脱防止帯、逸脱防止キャップを上表面に突出して着脱式としたものでは、窪み深さが浅くて済み、コインの出し入れもパターを逆さにすれば簡単である。逸脱防止帯、逸脱防止キャップの材料は、金属製、プラスチック製、木製、陶器製など好みによる。逸脱防止帯、逸脱防止キャップを固定式とするならば、接着剤、粘着剤、もしくは嵌合式となる。着脱式とするならば、同じく嵌合式、摩擦面定着のはめ込み式、ばね装着式、溝穴挿入式が考えられる。いずれも、逸脱防止部材を折り曲げて、溝の側壁の内面を利用する装着方法が主体といえる。
【実施例１】
【００１４】
図１〜図３に示すように、上下で２段となっているマレットタイプのパターヘッドの下段部面にプールのような長方形の平らな窪み部を設ける。幅は、コインの直径プラスの余裕幅である。長さは、コインが落ち始めるとするコインの直径の１．５倍強である。深さは、コインの厚みを参考に決めることになる。深くすれば飛び出しが少なく初心者用、浅くすれば上級者用ともいえる。角のある長方形の前後を半円形状とすれば側壁の衝撃を受ける長さが長くなるので衝撃が緩和される。さらに、側壁の内側にクッション材を施せばコインの飛び出しが緩和されるといえる。
【実施例２】
【００１５】
図４〜図６に示すように、かまぼこ型のパターヘッドの上部面に、長方形の前後部を半円形状とし、コインの直径の２倍の長さとする平らな窪み部を設ける。幅は、コインの直径プラスの余裕幅である。深さは、コインの厚みを参考に決めることになる。深くすれば飛び出しが少なく初心者用、浅くすれば上級者用ともいえる。角のある長方形の前後を半円形状とすれば、側壁の衝撃を受ける長さが長くなるので衝撃が緩和される。さらに、側壁の内側にクッション材を施せばコインの飛び出しが緩和されるといえる。
【実施例３】
【００１６】
コインの逸脱防止としては、プールの長手方向の上空の一部幅に帯式で装着するか、全面覆いのキャップ式とするかである。帯式とすればコインの出し入れには変形性能のあるプラスチックが適している。キャップ式なら穴あきか透明とする工夫が必要になる。
【実施例４】
【００１７】
横幅をコインの幅、長さをコイン１．５〜３個分相当とし、高さはコイン厚みに余裕を持たせ、底面はコインが平滑にすべる面を持ち、一部にコインの出入り口を設けたコインをスライドさせる収納ケースで、すでに所有しているパター用に接着剤で固定、または粘着テープで着脱自在とする。上面は透明とする方が望ましい。コインの落ちにくい深さがあれば、上面は蓋なしとしても良い。ケースの材料は金属製、プラスチック製、木製、陶器製など好みによる。
【符号の説明】
【００１８】
１  パターヘッド
２  パターヘッドのフェース部
３  パターヘッドのシャフト部
４  パターヘッドの下段部面
５  パターヘッドの上部面
６  パターヘッドの上部面、または下段部面に設けた長方形状の平らな窪み部
７  長方形状の前後部を半円状とした平らな窪み部
８  側壁部分
９  側壁内側のクッション材
１０  コイン
１１  逸脱防止帯の側壁との定着部
１２  逸脱防止キャップのコイン出し入れ口
１３  コインの出し入れ口                                                      
【図１】
0006318321.tif 000002
【図２】
0006318321.tif 000003
【図３】
0006318321.tif 000004
【図４】
0006318321.tif 000005
【図５】
0006318321.tif 000006
【図６】
0006318321.tif 000007
【図７】
0006318321.tif 000008
【図８】
0006318321.tif 000009
【図９】
0006318321.tif 000010